(57)【特許請求の範囲】
【請求項１】
原稿に光を照射しその反射光から原稿画像を読み取るスキャナ装置であって、原稿に光を照射する光源と、原稿からの反射光を取り込み光電変換して電気信号を出力する光電変換素子と、該光電変換素子から出力される電気信号を読取データとするサンプリングタイミングを調整する調整手段と、を備え、
白色によって反射された反射光による電気信号を得るための基準白色部材を有し、
前記調整手段を、前記光源を点灯し光を基準白色部材に照射したときに該部材から反射され光電変換された電気信号の出力値と該光源を点灯していないときに基準白色部材から反射され光電変換された電気信号の出力値とに基づいて前記サンプリングタイミングを自動調整し、それぞれの出力値が予め設定されている調整範囲内にするように構成したことを特徴とするたことを特徴とするスキャナ装置。
【請求項２】
前記調整範囲を変更する入力手段を設けたことを特徴とする請求項１記載のスキャナ装置。
【請求項３】
位置決めされた原稿に対して前記光電変換素子および光源を移動させる移送手段、および、該移送手段により所定位置に位置決めされた光電変換素子および光源に対して原稿を搬送する搬送手段を有し、
位置決めされた原稿または搬送される原稿に光を照射しその反射光から原稿画像を読み取る２方式の読取モードを備え、
該読取モード毎に異なる位置に白色によって反射された反射光による電気信号を得るための基準白色部材を配設し、
該基準白色部材毎に対応し該部材からの反射光を取り込む取込位置に光電変換素子および光源を移送手段により自動的に移動させる移送制御手段を設けたことを特徴とする請求項１または請求項２に記載のスキャナ装置。
【請求項４】
前記調整手段を、前記光源を点灯し光を基準白色部材に照射したときに該部材から反射され光電変換された電気信号の出力値と該光源を点灯していないときに基準白色部材から反射され光電変換された電気信号の出力値とに基づいて前記サンプリングタイミングを自動調整し、前記読取モード毎に対応する前記取込位置の双方におけるそれぞれの出力値が所定の調整範囲内にするように構成し、
前記移送制御手段を、光源および光電変換素子を前記取込位置のそれぞれに移送手段により自動的に移動させるように構成したことを特徴とする請求項３記載のスキャナ装置。
【請求項５】
前記光源を点灯し基準白色部材に光を照射したときに該部材から反射され光電変換された電気信号の出力値と、前記光源を点灯していないときに基準白色部材から反射され光電変換された電気信号の出力値とを表示する表示手段を有することを特徴とする請求項１から４のいずれかに記載のスキャナ装置。
【発明の詳細な説明】
【０００１】
【産業上の利用分野】
本発明は、原稿からの反射光を光電変換して原稿画像を読み取るスキャナ装置に関し、単独で利用されたり、他の装置に搭載され利用されるスキャナ装置に関する。
【０００２】
【従来の技術】
従来より、原稿に光を照射してその原稿からの反射光を、例えば密着センサやＣＣＤなどの光電変換素子により原稿画像を読み取るスキャナ装置が知られており、このスキャナ装置は、他の装置に接続されて、また例えば複写機やファクシミリ装置等に搭載されて利用されている。
【０００３】
この種のスキャナ装置は、主走査方向に延在する光源から原稿に光を照射し、その反射光を主走査方向に一画素毎に対応して複数配列された光電変換素子が取り込みその強度に応じた電気信号を出力することにより原稿画像を一ライン毎に読み取る。この光電変換素子から出力される電気信号は、一画素毎に連続する信号列となっており、その一信号中の所定のタイミングの出力をサンプリングし読取データとして処理している。
【０００４】
このようなスキャナ装置は、例えば、特開昭６１−２６２３６０号公報に記載されており、このスキャナ装置ではサンプリングクロックの周波数を切り換えることにより、所望の変倍率で読み取る際の変化にも対応して安定した読取データのサンプル動作を行なえるようにしている。
なお、スキャナ装置による読取データのサンプリングについての工夫は、他にも提案されており、例えば、特開平３−２６５３６９号公報や特開平４−５７４５５号公報においても提案されている。
【０００５】
【発明が解決しようとする課題】
しかしながら、このような従来のスキャナ装置にあっては、光電変換素子から出力される電気信号のビデオ波形（出力波形）が一画素毎の矩形波であればその出力値はある程度の幅の中で固定されたタイミングでサンプリングすれば安定した読取データを得ることはできたが、近年の情報処理の高速化に伴って読取速度も高速化されているため、そのビデオ波形の形が崩れて、例えば三角波のようになまってしまい、製造ロットの違いや装置毎の回路ロス等による装置毎のサンプリングタイミングのずれが出力値に影響し読取画像に差ができてしまうという問題があった。
【０００６】
また、上記公報に記載のスキャナ装置にあっても、サンプリングクロックを変化させているだけなので、読取速度を高速化したときには、この不具合が同様に問題となってしまう。
そこで、本発明は、読取データのサンプリングを工夫することにより、ビデオ波形のばらつきによる読取データへの影響をなくして、読取速度の高速化に拘らず安定した読取画像を得られるようにすることを目的とする。
【０００７】
さらに、明出力時や暗出力時における光電変換素子の出力値を簡易かつ正確に得られるようにして、調整作業を容易かつ高精度にできるようにすることを目的とする。
【０００８】
【課題を解決するための手段】
上記目的達成のため、請求項１記載の発明は、原稿に光を照射しその反射光から原稿画像を読み取るスキャナ装置であって、原稿に光を照射する光源と、原稿からの反射光を取り込み光電変換して電気信号を出力する光電変換素子と、該光電変換素子から出力される電気信号を読取データとするサンプリングタイミングを調整する調整手段と、を備え、白色によって反射された反射光による電気信号を得るための基準白色部材を有し、前記調整手段を、前記光源を点灯し光を基準白色部材に照射したときに該部材から反射され光電変換された電気信号の出力値と該光源を点灯していないときに基準白色部材から反射され光電変換された電気信号の出力値とに基づいて前記サンプリングタイミングを自動調整し、それぞれの出力値が予め設定されている調整範囲内にするように構成したことを特徴とするたことを特徴とするものである。
【０００９】
請求項２記載の発明は、前記調整範囲を変更する入力手段を設けたことを特徴とするものである。
【００１０】
請求項３記載の発明は、位置決めされた原稿に対して前記光電変換素子および光源を移動させる移送手段、および、該移送手段により所定位置に位置決めされた光電変換素子および光源に対して原稿を搬送する搬送手段を有し、位置決めされた原稿または搬送される原稿に光を照射しその反射光から原稿画像を読み取る２方式の読取モードを備え、該読取モード毎に異なる位置に白色によって反射された反射光による電気信号を得るための基準白色部材を配設し、該基準白色部材毎に対応し該部材からの反射光を取り込む取込位置に光電変換素子および光源を移送手段により自動的に移動させる移送制御手段を設けたことを特徴とするものである。
【００１１】
請求項４記載の発明は、前記調整手段を、前記光源を点灯し光を基準白色部材に照射したときに該部材から反射され光電変換された電気信号の出力値と該光源を点灯していないときに基準白色部材から反射され光電変換された電気信号の出力値とに基づいて前記サンプリングタイミングを自動調整し、前記読取モード毎に対応する前記取込位置の双方におけるそれぞれの出力値が所定の調整範囲内にするように構成し、前記移送制御手段を、光源および光電変換素子を前記取込位置のそれぞれに移送手段により自動的に移動させるように構成したことを特徴とするものである。
【００１２】
請求項５記載の発明は、前記光源を点灯し基準白色部材に光を照射したときに該部材から反射され光電変換された電気信号の出力値と、前記光源を点灯していないときに基準白色部材から反射され光電変換された電気信号の出力値とを表示する表示手段を有することを特徴とするものである。
【００１３】
【作用】
請求項１記載の発明では、光源により照射され原稿から反射されたその画像に応じた強度の反射光が光電変換素子に取り込まれ、その反射光は強度に応じた出力値の電気信号に光電変換され出力される。そして、光電変換素子から出力されるビデオ波形の電気信号がサンプリングされて読取データとされるが、そのサンプリングタイミングは調整手段により調整することができる。したがって、そのビデオ波形が歪んでいたとしても電気信号のサンプリングを任意のタイミングに調整することができる。
【００１５】
また、請求項１記載の発明では、光源の点灯時および消灯時に基準白色部材から反射された反射光の光電変換された電気信号の双方の出力値に基づいてサンプリングタイミングが調整手段により自動調整され、それぞれの出力値が予め設定されている調整範囲内にされる。したがって、明出力時および暗出力時に読取データとなる電気信号の出力値が自動的に調整範囲内にされる。
【００１６】
請求項２記載の発明では、調整手段が自動的に範囲内となるように調整する調整範囲を入力手段により変更することができる。したがって、装置状態や調整条件に応じて読取データとする電気信号の出力値の調整範囲を容易に変更することができる。
請求項３記載の発明では、位置決めされた原稿に対して光電変換素子および光源が移送手段により移動されてその画像が読み取られる、また光電変換素子および光源に対して搬送手段により搬送される原稿から画像が読み取られる２方式の読取モードを備えており、光電変換素子および光源はその読取モード毎に異なる位置に配設された基準白色部材からの反射光を取り込む取込位置に移送手段が移送制御手段により駆動を制御され自動的に移動される。したがって、光電変換素子および光源を読取モード毎の取込位置に手動で移動させる必要がない。
【００１７】
請求項４記載の発明では、光源および光電変換素子が読取モード毎の取込位置に移送手段により自動的に移動され、光源の点灯時および消灯時に基準白色部材から反射された反射光の光電変換された電気信号の双方の出力値に基づいてサンプリングタイミングが調整手段により自動調整され、読取モード毎に取込位置におけるそれぞれの出力値が所定の調整範囲内にされる。したがって、光電変換素子および光源が読取モード毎の取込位置での明出力時および暗出力時に読取データとなる電気信号の出力値が自動的に調整範囲内にされる。
請求項５記載の発明では、光源の点灯時に基準白色部材から反射された反射光の光電変換された電気信号の出力値が表示手段に表示される。したがって、明出力時に読取データとなる任意のタイミングでサンプリングされた電気信号の出力値を容易に認識することができる。また、請求項５記載の発明では、光源の消灯時に基準白色部材から反射された反射光の光電変換された電気信号の出力値が表示手段に表示される。したがって、暗出力時に読取データとなる任意のタイミングでサンプリングされた電気信号の出力値を容易に認識することができる。
【００１８】
【実施例】
以下、本発明を図面に基づいて説明する。
図１〜図７は本発明に係るスキャナ装置の一実施例を搭載するファクシミリ装置の一例を示す図である。
図１〜図６において、１０はファクシミリ装置であり、ファクシミリ装置１０は、読取位置に位置する原稿に光を照射しその画像面からの反射光によって送信またはコピーする画情報（読取データ）を読み取るスキャナ１１と、受信または読み取った画情報や各種レポート（例えば、エラー通信や通信管理レポート等）を記録紙Ｐに記録し出力するプロッタ１２と、伝送する画情報や各種手順信号を変復調するモデム１３を制御し発着信の際に所定の回線制御を行なって電話回線との接続を接断する網制御装置１４を介して画情報を送受信する通信制御部１５と、送信する読取画情報や受信した受信画情報を圧縮した状態で一時記憶する画像メモリ１６と、読取画情報を既知の符号化方式により圧縮して出力する一方、圧縮された状態の読取画情報や受信画情報を復号化して元の画情報に再生（伸長）して出力する符号化復号化部１７と、表示ＬＣＤやＬＥＤおよび操作キーを備え装置本体の動作状態を表示するとともにオペレータが各種操作を行なう操作表示部１８と、制御に必要なパラメータ等を格納するとともに画像メモリ１６に記憶された画情報を管理するためのファイルを格納しバッテリ１９によりバックアップされて装置電源を落しても格納した内容が消えることのないパラメータメモリ２０と、ＲＯＭ２１内に格納されたソフトウエアに従って上記各部を統括制御するＣＰＵ２２と、が制御命令やデータ等の情報を伝送するバス２３を介して接続されている。
【００１９】
このファクシミリ装置１０は、原稿から画情報を読み取る前記読取位置として原稿を載置するコンタクトガラスおよび搬送される原稿が通過するコンタクトガラスの２式を備えており、これらの読取位置を構成するコンタクトガラスは図示していないが、装置本体上部に開閉自在に支持された圧板４１が接離するコンタクトガラス上に原稿を載置して位置決めしスキャナ１１によりその画情報を読み取ったり、装置本体上部の側辺に位置し原稿搬送手段（所謂、ＡＤＦ）を構成する搬送ユニット４２が原稿テーブル４３上の原稿束から原稿を１枚づつ分離給送してコンタクトガラス上を通過させその画情報を読み取るようになっている。すなわち、ファクシミリ装置１０は、位置決め原稿または搬送原稿からその画像の画情報を読み取る２方式の読取モードを備えている。なお、搬送ユニット４２によりガラス上を通過させた原稿は圧板４１上（排紙位置）に排紙する。
【００２０】
そして、スキャナ１１は、光を出射する例えば、キセノンランプ、蛍光灯またはＬＥＤアレイ等の図示していない光源、および、光を取り込みその強度に応じた電気的な信号に光電変換して出力するＣＣＤや密着センサ等の光電変換素子３１が密着イメージセンサユニット４４に固設されており、この密着イメージセンサユニット４４はガイドレール４５に案内されつつスキャナモータ４６が伝達ベルト４７および伝達ギヤ４８を介して走行ベルト４９を回転駆動させることにより副走査方向に走行する。このスキャナ１１は、圧板４１によって位置決めされたコンタクトガラス上の原稿（例えば、ＢＯＯＫ原稿）に点灯した光源から光を照射しその画像面からの反射光を光電変換素子３１が取り込んでその画情報を主走査方向の１ライン毎に読み取り、また搬送ユニット４２の下方に密着イメージセンサユニット４４を移動させた後に搬送ユニット４２により搬送されコンタクトガラス上を通過する搬送原稿から同様に画情報を読み取るようになっている。すなわち、スキャナモータ４６により移送手段が構成されている。
【００２１】
このスキャナ１１は、光電変換素子３１から出力される電気信号のアナログデータ（画情報）を増幅するビデオアンプ３２と、増幅されたアナログデータをデジタルデータに変換するＡ／Ｄ変換器３３と、一般的なシェーディング補正などを行なう読取補正部３４と、ＯＲ処理、ＭＦＴ補正およびハーフトーン画像の生成など画像処理を行なう画像処理部３５とを備えており、光電変換素子３１が光電変換し読み取った電気信号はビデオアンプ３２により増幅してＡ／Ｄ変換器３３によりアナログデータからデジタルデータに変換した後にバス２３に送出する。また、スキャナ１１は、光電変換素子３１からの画情報とする電気信号の出力値をサンプリングするためのタイミングクロックやその他のビデオ系タイミングクロックをタイミングクロック生成部３６が生成するようになっており、光電変換素子３１からの電気信号は読取速度が高速になるほど図７に示すように、矩形波にならずに形が崩れたビデオ波形（出力波形）となるが、内蔵するサンプリングタイミング調整部３７が備えるＳＥＬ０〜ＳＥＬ２の組み合せを切り換えてその値をタイミングクロック生成部３６に入力することによって図７に示すｓ１〜ｓ８の８種類からタイミングクロックによるサンプリングのタイミングを選択し調整できるようになっている。
【００２２】
なお、図３および図４ににおいて、５１はプロッタ１２が記録出力する記録紙Ｐを収容する給紙カセット、５２はその記録済みの記録紙Ｐを排紙する排紙テーブルであり、５３はファクシミリ装置１０が備える受話器である。また、図５において、５４は圧板４１の開閉を検知する圧板検知センサ、５５は密着イメージセンサユニット４４がホームポジションに位置することを検知するＨＰセンサ、５６はコンタクトガラス上に載置された原稿のサイズを検知する原稿サイズセンサである。また、図６において、６１は原稿テーブル４３上の原稿を呼び出すピックアップコロ、６２は呼び出された原稿を搬送するフィードコロ、６３はフィードコロ６２の下方で搬送方向に対して逆回転し原稿を１枚づつに分離するリバースコロであり、６４は搬送原稿の先端または後端を検知する原稿検知センサ、６５は搬送原稿の幅を検知する幅センサ、６６は処理済みを記録紙Ｐに表示するためのスタンプである。
【００２３】
次に、第１実施例を説明する。
図１〜図６において、スキャナ11は、サンプリングタイミング調整部37のＳＥＬ０〜ＳＥＬ２を図示していない例えば、ディップスイッチなどにより手動でその組み合せを切り換えることができるようになっており、このサンプリングタイミング調整部37は本実施例のスキャナ装置を構成するスキャナ11の調整手段を構成し、そのＳＥＬ０〜ＳＥＬ２の値を手動で切り換えることによってタイミングクロック生成部36に入力して図７に示すｓ１〜ｓ８の８種類からタイミングクロックによるサンプリングのタイミングを選択し調整できるようになっている。なお、このサンプリングタイミング調整部37としては、前記ディップスイッチに限らず、ＳＥＬ０〜ＳＥＬ２の切り換えが可能であれば良く、例えば、操作表示部18に内部スイッチの設定を表示させて切り換えるように構成してもよい。また、本実施例では、ＳＥＬ０〜ＳＥＬ２により８種類のタイミングから選択するように構成されているが、これに限らず増減してもよいことはいうまでもない。
【００２４】
このように本実施例では、光電変換素子３１から出力される電気信号をサンプリングしてその出力値を画情報とするサンプリングタイミングがサンプリングタイミング調整部３７のＳＥＬ０〜ＳＥＬ２を切り換えるだけで図７に示すｓ１〜ｓ８から選択して調整することができる。したがって、読取速度の高速化により光電変換素子３１から出力される電気信号のビデオ波形が歪んでいたとしても、また装置毎にそのサンプリングタイミングにずれがあったとしても、例えば、そのビデオ波形およびサンプリングクロックをオシロスコープ等で観察しつつサンプリングタイミング調整部３７のＳＥＬ０〜ＳＥＬ２を切り換えるだけでばらつきのない出力値の電気信号をサンプリングすることができ、安定した読取画情報を得られるように簡易に調整することができる。
【００２５】
次に、請求項５に記載の発明に対応する第２実施例を説明する。
図１〜図６において、スキャナ１１は、上述実施例の構成に加え、光電変換素子３１から出力される電気信号の出力値を所定の調整範囲にするための図示していない基準白板（基準白色部材）が前記読取モードの２方式（以下、ＢＯＯＫ読取モード、ＡＤＦ読取モードともいう）毎に読取位置を構成するコンタクトガラス近傍の異なる位置に配設されており、スキャナ１１は、前記光源を点灯しこれら基準白板に光を照射する位置（取込位置）に密着イメージセンサユニット４４を手動で移動させた後に、光源の点灯時および消灯時の基準白板から反射される反射光を光電変換素子３１が光電変換しサンプリングタイミング調整部３７により設定されているサンプリングタイミングでサンプリングした電気信号の出力値をＣＰＵ２２が操作表示部１８に表示させるようになっている。
【００２６】
ＣＰＵ２２は、操作表示部１８でサンプリングタイミング調整モードが選択され図示していないスタートキーが押下されたときに、ビデオアンプ３２により増幅されＡ／Ｄ変換器３３によりデジタルデータに変換された光電変換素子３１から出力される電気信号を読取補正部３４および画像処理部３５をスルーパスで通過させる状態にした後に、明出力調整または暗出力調整の選択に応じて前記光源を点灯または消灯させ、そのＡ／Ｄ変換器３３からの電気信号の出力値を読み取って操作表示部１８の表示ＬＣＤに表示させるようになっており、この読取動作は連続的に例えば、５００ｍｓｅｃ毎にストップキーが押されるまで実行するようになっている。したがって、その読取動作の間に操作表示部１８の表示ＬＣＤを確認しつつ手動でサンプリングタイミング調整部３７のＳＥＬ０〜ＳＥＬ２を切り換えることによって出力値の明出力レベルおよび暗出力レベルが所定の調整範囲内となるようにサンプリングタイミングを簡易易に調整することができる。すなわち、操作表示部１８が表示手段を構成している。なお、この光源の点灯時および消灯時の基準白板による明出力レベルおよび暗出力レベルの調整はＢＯＯＫ読取モードおよびＡＤＦ読取モード毎に行なう。
【００２７】
なお、本実施例では、出力値の明出力レベルおよび暗出力レベルの双方を前記調整範囲内とするように前記光源の点灯および消灯させて明出力調整および暗出力調整をサンプリングタイミング調整モードにおいて行なうように構成しているが、いずれか一方でもよいが、双方を行なった方がより高精度に調整できることはいうまでもない。
【００２８】
このように本実施例では、光源の点灯時および消灯時に基準白板から反射され光電変換素子３１により光電変換された電気信号の出力値が操作表示部１８に表示され、明出力レベルおよび暗出力レベルを容易に認識することができる。したがって、上述第１実施例のようにオシロスコープなどの他の機器等を介することによって生じる時間遅延が得られるデータに発生することがなく、表示と調整との間にずれのない簡易な調整を実現することができる。
【００２９】
さらに、明出力レベルおよび暗出力レベルの双方を調整することができるので、明出力時と暗出力時のビデオ波形が異なるような光電変換素子３１であっても読取画情報を安定したものにすることができる。
次に、請求項１または２に記載の発明に対応する第３実施例を説明する。
図１〜図６において、スキャナ１１は、上述第２実施例の明出力調整または暗出力調整を自動で行なう調整手段をＣＰＵ２２が構成しており、ＣＰＵ２２は上述第２実施例で操作表示部１８に表示させた前記光源の点灯時および消灯時の出力値に基づいてサンプリングタイミング調整部３７のＳＥＬ０〜ＳＥＬ２を切り換えその明出力レベルおよび暗出力レベルが前記調整範囲内に調整するようになっている。このＣＰＵ２２が明出力レベルおよび暗出力レベルが入るように調整する前記調整範囲はパラメータメモリ２０内に設定されており、この調整範囲は操作表示部１８に表示させて変更入力することができるようになっている。すなわち、操作表示部１８は入力手段を構成している。
【００３０】
このＣＰＵ２２による調整は、図８のフローチャートに示すように、ＢＯＯＫ読取モード時に使用する基準白板に光源からの光を照射する位置に密着イメージセンサユニット４４を手動で移動させた後に、操作表示部１８でサンプリングタイミング調整モードを選択しスタートキーを押下する（ステップＰ１）と、パラメータメモリ２０内のカウントｎを１に設定し（ステップＰ２）、そのカウントｎに対応するタイミングｎ（１回目ではｎ＝１）に応じてサンプリングタイミングｓ１〜ｓ８のいずれかになるようにサンプリングタイミング調整部３７のＳＥＬ０〜ＳＥＬ２を切り換えて設定する（ステップＰ３）。
【００３１】
次いで、光電変換素子３１から出力される電気信号を読取補正部３４および画像処理部３５をスルーパスで通過させる状態にした（ステップＰ４）後に、前記光源を消灯させ（ステップＰ５）、ビデオアンプ３２により増幅されＡ／Ｄ変換器３３によりデジタルデータに変換された光電変換素子３１からの出力値を読み取って図９に示すパラメータメモリ２０内のテーブルにタイミングｎ／暗出力値として記憶させる（ステップＰ６）。次いで、前記光源を点灯させ（ステップＰ７）、同様に光電変換素子３１からのＡ／Ｄ変換器３３から出力される出力値を読み取ってパラメータメモリ２０内にタイミングｎ／明出力値として記憶させる（ステップＰ８）。
【００３２】
次いで、カウントｎが８以上となってタイミング８までの読取が終了したか確認し（ステップＰ９）、終了していない場合にはカウントｎをインクリメント（ｎ＋１）した（ステップＰ１０）後にステップＰ３に戻ってタイミング８までの読取が終了するまで繰り返す。そして、終了した場合には、パラメータメモリ２０内に記憶させたテーブルのタイミング１から順次、明出力値および暗出力値の双方がパラメータメモリ２０内の前記調整範囲に入っているかチェックして（ステップＰ１１）、双方が調整範囲に入っているタイミングｎが確認されたときその明出力値および暗出力値を操作表示部１８に表示するととにサンプリングタイミング調整部３７のＳＥＬ０〜ＳＥＬ２を切り換えてサンプリングタイミングｓ１〜ｓ８のいずれかに設定する（ステップＰ１２）。
【００３３】
そして、この後に、ＡＤＦ読取モードの基準白板に光源からの光を照射する位置に密着イメージセンサユニット４４を手動で移動させた後に、先のＢＯＯＫ読取モードで調整されたサンプリングタイミングで明出力値および暗出力値の双方が前記調整範囲に入っているか確認する。なお、このサンプリングタイミングの調整はＢＯＯＫ読取モードまたはＡＤＦ読取モードのいずれを先に行なってもよいことはいうまでもない。
【００３４】
このように本実施例では、上述第２実施例の作用効果に加え、光源の点灯時および消灯時に基準白板から反射され光電変換素子３１により光電変換された電気信号の明出力レベルおよび暗出力レベルの双方がサンプリングタイミングｓ１〜ｓ８のいずれでパラメータメモリ２０内の調整範囲に入っているか確認され、双方が調整範囲内に入るタイミングに自動設定される。したがって、明出力時および暗出力時の出力値を自動的に調整範囲内とすることができ、安定した読取画像を容易に得ることができる。
【００３５】
さらに、ＣＰＵ２２が自動的に範囲内にするパラメータメモリ２０内の調整範囲は操作表示部１８から変更入力することができるので、画情報とする電気信号の出力値の調整範囲を容易に変更することができ、装置状態や調整条件に応じてその調整範囲を変更することができ、安定した読取画像を得る調整幅が広くなる。
次に、請求項３または４に記載の発明に対応する第４実施例を説明する。
【００３６】
図１〜図６において、ＣＰＵ２２は、上述３実施例のＢＯＯＫ読取モードまたはＡＤＦ読取モードの基準白板に光源からの光を照射する位置への密着イメージセンサユニット４４の移動を自動で行なう移動制御手段を構成しており、上述第３実施例のステップＰ１で操作表示部１８からサンプリングタイミング調整モードが選択されスタートキーが押下されると、ＢＯＯＫ読取モードの基準白板に光源からの光を照射する位置にスキャナモータ４６を駆動させることにより密着イメージセンサユニット４４を自動で移動させた後にステップＰ２〜Ｐ１２を行ない、この後にはＡＤＦ読取モードの基準白板に光源からの光を照射する位置に密着イメージセンサユニット４４を同様にスキャナモータ４６の駆動により自動で移動させステップＰ２〜Ｐ１２を行なうように構成されている。また、このときには、ＢＯＯＫ読取モードおよびＡＤＦ読取モードの双方で読み取ったタイミング１〜８／明出力値・暗出力値をパラメータメモリ２０内に記憶させることができるようにテーブルを準備しＢＯＯＫ読取モードおよびＡＤＦ読取モードの双方の読取が終了した後にすべてが調整範囲に入るタイミングｎを確認してそのサンプリングタイミングｓ１〜ｓ８のいずれかに設定するようになっている。
【００３７】
このように本実施例では、上述第３実施例の作用効果に加え、密着イメージセンサユニット４４はＢＯＯＫ読取モードおよびＡＤＦ読取モードの基準白板に光を照射する位置へ自動で移動され、光電変換素子３１により光電変換された電気信号の明出力レベルおよび暗出力レベルの双方をパラメータメモリ２０内の調整範囲に入るようにサンプリングタイミングを自動設定されるので、ＢＯＯＫ読取モードおよびＡＤＦ読取モード毎に密着イメージセンサユニット４４を手動で移動させる必要がない。また、ＢＯＯＫ読取モードおよびＡＤＦ読取モードの双方で明出力値・暗出力値が調整範囲に入るようにそのサンプリングタイミングｓ１〜ｓ８のいづれかに設定されるので、ＢＯＯＫ読取モードでの調整が終了した後にＡＤＦ読取モードでは調整範囲内に入らなかったときには、再度ＢＯＯＫ読取モードから調整しなければならなかったが、その必要もない。したがって、１回の調整で明出力時および暗出力時の出力値を自動的に調整範囲内とすることができ、安定した読取画像を容易に得ることができる。
【００３８】
【発明の効果】
請求項１記載の発明によれば、原稿画像からの反射光を光電変換したビデオ波形の電気信号を読取データとするサンプリングタイミングを調整することができるので、ビデオ波形が歪んでいたとしても電気信号を任意のタイミングでサンプリングすることができ、読取データとして安定した出力値の電気信号をサンプリングすることができる。したがって、読取速度の高速化に拘らず、安定した読取画像を得ることができる。
【００４１】
また、請求項１記載の発明によれば、光源の点灯時および消灯時、すなわち明出力時および暗出力時の基準白色による電気信号の出力値に基づいてサンプリングタイミングを自動調整し、それぞれの出力値を調整範囲内にするので、明出力時および暗出力時に読取データとなる電気信号の出力値を容易に調整範囲内にすることができ、安定した読取画像を容易に得ることができる。
【００４２】
請求項２記載の発明によれば、調整手段が自動的に範囲内となるように調整する調整範囲を変更入力することができるので、装置状態や調整条件が変化してもその調整範囲を容易に変更することができ、安定した読取画像を得る調整幅が広くなる。
請求項３記載の発明によれば、位置決め原稿から、また搬送原稿から画像を読み取る２方式の読取モード毎に異なる基準白色に対応してその反射光を取り込む取込位置に光電変換素子および光源を自動的に移動させるので、光電変換素子および光源を取込位置に容易かつ精度良く移動させることができ、容易かつ高精度な調整作業を実現することができる。
【００４３】
請求項４記載の発明によれば、光源および光電変換素子を読取モード毎の取込位置に自動的に移動させ、光源の点灯時および消灯時、すなわち明出力時および暗出力時の基準白色による電気信号の双方の出力値に基づいてサンプリングタイミングを自動調整し、読取モード毎に取込位置におけるそれぞれの出力値を調整範囲内にするので、明出力時および暗出力時に読取データとなる電気信号の出力値を調整範囲内にする読取モード毎の調整作業を容易かつ高精度に行なうことができ、安定した読取画像を得ることができる。
請求項５記載の発明によれば、光源の点灯時に基準白色から反射された反射光の光電変換された電気信号、すなわち明出力時の出力値を表示させるので、明出力時に読取データとなる電気信号の出力値を他の機器等を介することなく簡易かつ正確に得ることができ、サンプリングタイミングの調整作業を簡易かつ高精度に行なうことができる。したがって、安定した読取画像を簡易に得ることができる。また、請求項５記載の発明によれば、光源の消灯時、すなわち暗出力時の基準白色による電気信号の出力値を表示させるので、暗出力時に読取データとなる電気信号の出力値を簡易かつ正確に得ることができ、調整作業を簡易かつ高精度に行なうことができる。これにより、明出力時および暗出力時の読取データの出力値を調整できるので、より安定した読取画像を得ることができる。
【図面の簡単な説明】
【図１】本発明に係るスキャナ装置の一実施例を搭載するファクシミリ装置の一例を示す図であり、その全体構成を示すブロック図である。
【図２】そのスキャナ装置の主要部の構成を示すブロック図である。
【図３】そのファクシミリ装置の外観を示す正面図である。
【図４】そのファクシミリ装置の外観を示す上面図である。
【図５】そのスキャナ装置による読取モードを説明する内部構成図である。
【図６】図５と異なる読取モードを説明する内部構成図である。
【図７】そのスキャナ装置による読取データを説明するビデオ波形図である。
【図８】そのスキャナ装置によるサンプリングタイミングの調整を説明するフローチャートである。
【図９】そのスキャナ装置によるサンプリングタイミングの調整に使用するテーブルを説明する説明図である。
【符号の説明】
１０    ファクシミリ装置
１１    スキャナ（スキャナ装置）
１２    プロッタ
１８    操作表示部（表示手段、入力手段）
２０    パラメータメモリ
２２    ＣＰＵ（調整手段、移送制御手段）
３１    光電変換素子
３２    ビデオアンプ
３３    Ａ／Ｄ変換器
３４    読取補正部
３５    画像処理部
３６    タイミングクロック生成部
３７    サンプリングタイミング調整部（調整手段）
４１    圧板
４２    搬送ユニット（搬送手段）
４４    密着イメージセンサユニット
４６    スキャナモータ（移送手段）
【図１】
0003604456.tif 000002
【図２】
0003604456.tif 000003
【図３】
0003604456.tif 000004
【図４】
0003604456.tif 000005
【図５】
0003604456.tif 000006
【図６】
0003604456.tif 000007
【図７】
0003604456.tif 000008
【図８】
0003604456.tif 000009
【図９】
0003604456.tif 000010